(57)【要約】【課題】放送波によるコンテンツのダウンロード配信において、既に予約されているコンテンツの予約時間と重複せず、且つ、ユーザの期待する画質以上のコンテンツを新規に予約するための技術を提供する。【解決手段】本発明のデジタル放送受信装置は、新規に予約された第１コンテンツの予約時間と、既に予約されている第２コンテンツの予約時間とが互いに重複する場合に、コンテンツの送出スケジュールを表すスケジュール情報を用いて、代替蓄積コンテンツとして、第１コンテンツと同一内容、ユーザが許容できるコンテンツの画質である許容画質以上の画質、且つ、予約時間が第２コンテンツの予約時間と重複しないコンテンツを決定し、第１コンテンツの代わりに当該代替蓄積コンテンツのダウンロードの予約を行うことを特徴とする。【選択図】図２
2010041646.tif 000002
【特許請求の範囲】
【請求項１】
放送波によりダウンロード形式で送出されるコンテンツをダウンロードするデジタル放送受信装置であって、
コンテンツの送出スケジュールを表すスケジュール情報を取得するスケジュール情報取得手段と、
ユーザが許容できるコンテンツの画質である許容画質に関する情報を含むユーザ設定を設定するユーザ設定手段と、
ユーザの操作に従ってコンテンツのダウンロードの予約を行う予約手段と、
新規に予約された第１コンテンツの予約時間と、既に予約されている第２コンテンツの予約時間とが互いに重複するか否かを判定する判定手段と、
前記第１コンテンツの予約時間と第２コンテンツの予約時間とが互いに重複する場合に、前記スケジュール情報を用いて、代替蓄積コンテンツとして、前記第１コンテンツと同一内容、前記許容画質以上の画質、且つ、予約時間が前記第２コンテンツの予約時間と重複しないコンテンツを決定する決定手段と、
を有し、
前記決定手段において代替蓄積コンテンツが決定された場合、前記予約手段は、第１コンテンツの代わりに当該代替蓄積コンテンツのダウンロードの予約を行う
ことを特徴とするデジタル放送受信装置。
【請求項２】
前記第１コンテンツと同一内容の複数のコンテンツであって、画質及びダウンロードに要する時間が互いに異なる複数のコンテンツが、互いに異なる配信時間に送出される場合において、
前記決定手段は、前記複数のコンテンツのうち、いずれか１つを代替蓄積コンテンツとして決定する
ことを特徴とする請求項１に記載のデジタル放送受信装置。
【請求項３】
前記第１コンテンツは、所定時間の間に同一のコンテンツを繰り返し伝送するデータカルーセル伝送方式で送出され、
前記決定手段は、前記第１コンテンツの予約時間と前記第２コンテンツの予約時間とが互いに重複する場合に、当該第１コンテンツの予約時間を前記所定時間の中で前記第２コンテンツの予約時間と重複しないように変更する
ことを特徴とする請求項１に記載のデジタル放送受信装置。
【請求項４】
前記所定時間の間に、前記第１コンテンツと同一内容で且つ前記第１コンテンツよりも画質の低い第３コンテンツもデータカルーセル伝送方式で繰り返し送出されており、
前記決定手段は、前記第１コンテンツの予約時間を前記所定時間の中で前記第２コンテンツの予約時間と重複しないように変更できない場合に、前記第３コンテンツの中から前記代替蓄積コンテンツを決定する
ことを特徴とする請求項３に記載のデジタル放送受信装置。
【請求項５】
前記決定手段は、前記第１コンテンツと同一内容、前記許容画質以上の画質、且つ、予約時間が前記第２コンテンツの予約時間と重複しないコンテンツの内、最高画質のコンテンツを代替蓄積コンテンツとして決定する
ことを特徴とする請求項１〜４のいずれか１項に記載のデジタル放送受信装置。
【請求項６】
前記決定手段は、前記第１コンテンツと同一内容、且つ、予約時間が前記第２コンテンツの予約時間と重複しないコンテンツの画質が、前記許容画質未満である場合に、ユーザに対し当該コンテンツを代替蓄積コンテンツとするか否かを確認する
ことを特徴とする請求項１〜４のいずれか１項に記載のデジタル放送受信装置。
【請求項７】
放送波によりダウンロード形式で送出されるコンテンツをダウンロードするデジタル放送受信方法であって、
コンテンツの送出スケジュールを表すスケジュール情報を取得するステップと、
ユーザが許容できるコンテンツの画質である許容画質に関する情報を含むユーザ設定を設定するステップと、
ユーザの操作に従ってコンテンツのダウンロードの予約を行うステップと、
新規に予約された第１コンテンツの予約時間と、既に予約されている第２コンテンツの予約時間とが互いに重複するか否かを判定するステップと、
前記第１コンテンツの予約時間と第２コンテンツの予約時間とが互いに重複する場合に、前記スケジュール情報を用いて、代替蓄積コンテンツとして、前記第１コンテンツと同一内容、前記許容画質以上の画質、且つ、予約時間が前記第２コンテンツの予約時間と重複しないコンテンツを決定するステップと、
を含み、
前記代替蓄積コンテンツが決定された場合、第１コンテンツの代わりに当該代替蓄積コンテンツのダウンロードの予約を行う
ことを特徴とするデジタル放送受信方法。
【発明の詳細な説明】
【技術分野】
【０００１】
本発明は、放送波によりダウンロード形式で送出されるコンテンツをダウンロードするデジタル放送受信装置及びデジタル放送受信方法に関する。
【背景技術】
【０００２】
デジタル放送の分野において、これまで、社団法人電波産業会（ＡＲＩＢ）を中心に、受信機が大容量の蓄積装置を有することを前提として、コンテンツをダウンロード形式で送出する、いわゆるコンテンツのダウンロード配信が検討されてきた。当該ダウンロード配信の方式（放送方式）はサーバ型放送と呼ばれる。サーバ型放送では、放送波によりコンテンツを受信機の蓄積装置にダウンロードし、視聴することができる。また、上記コンテンツを、放送波による通常の放送（通常放送）と連動させることができる。サーバ型放送の標準規格として、ＡＲＩＢ  ＳＴＤ‐Ｂ３８がある。
【０００３】
サーバ型放送を用いたコンテンツのダウンロード配信では、ダウンロードにかかる時間を実際の視聴にかかる時間よりも短くできるため、通常放送よりも多くのコンテンツが配信可能となる。そのため、通常放送でのコンテンツと同一内容のコンテンツが異なる時間帯で放送されることが考えられる。
【０００４】
一方、現在のデジタル放送規格では、受信機の種類として固定受信機・移動受信機・携帯受信機が想定されている。これらの受信機では、想定されている表示装置の表示サイズがそれぞれ異なるため、放送されるコンテンツの解像度がそれぞれ異なる。
【０００５】
そのため、ダウンロード配信では、通常放送でのコンテンツと同一の内容のコンテンツが異なる時間帯、且つ、異なる解像度で配信されることが考えられる。
【０００６】
また、放送波によるコンテンツのダウンロード配信では、コンテンツのダウンロードを新規に予約した際に、新規に予約された第１コンテンツの予約時間と既に予約されている第２コンテンツの予約時間とが互いに重複する場合がある。従来技術では、第１コンテンツの予約時間と第２コンテンツの予約時間とが互いに重複した場合に、第１コンテンツをダウンロードすることができなかった。
【０００７】
そのような問題の一部は、特許文献１や特許文献２に開示されている技術を用いることにより、解決することができる。
【０００８】
例えば、特許文献１には、通常放送のコンテンツの蓄積に失敗した場合に、通常放送における当該コンテンツの再放送を検出し、再度予約を行う技術が開示されている。このような技術を用いれば、第１コンテンツの蓄積ができない場合に、その後ダウンロード配信されるコンテンツから、第１コンテンツと同一内容のコンテンツを再度予約することが可能となる。
【０００９】
しかしながら、特許文献１に開示の技術は、コンテンツのダウンロード配信を考慮したものではないため、画質を考慮した予約が出来ない。そのため、コンテンツの蓄積に失敗した場合に、ユーザの期待通りの画質のコンテンツが再度予約されるとは限らない。
【００１０】
特許文献２には、ＪＰＥＧ２０００のようなスケーラビリティを持つフォーマットで提供されているコンテンツをダウンロードする際に、ユーザがダウンロードの制限時間を指定する事を可能とする技術が開示されている。制限時間が指定されると、サーバでは制限
時間内にダウンロード可能な画質でコンテンツの提供が行われる。このような技術を用いる場合、ダウンロード配信のコンテンツを、スケーラビリティを持つフォーマットでサーバに用意することとなる。それにより、第１コンテンツと第２コンテンツの予約時間が互いに重複する場合には、第１コンテンツの配信時間と第２コンテンツの予約時間帯とが互いに重複しない時間内において、ユーザの指定した制限時間でコンテンツのダウンロードを行うことができる。なお、配信時間とは、コンテンツが提供（配信）されている時間のことである。当該制限時間でダウンロードしたコンテンツの画質がユーザの期待通りのものでない場合、ユーザはダウンロードをあきらめるか、別の制限時間でコンテンツのダウンロードを実行することになる。
【００１１】
また、特許文献２に開示の技術は、放送波によるダウンロード配信ではなく、インターネット等の通信網によるダウンロード配信を想定したものであるため、ダウンロードを実行する時間帯（制限時間）を比較的自由に設定できる。しかしながら、放送波によるダウンロード配信では、インターネット等によるダウンロード配信に比べ、１つのコンテンツの配信時間が短いことが予想されるため、制限時間を自由に設定することができない。また、指定された制限時間でダウンロード可能なコンテンツ（ダウンロードしたいコンテンツ）が配信されていない場合には、ダウンロードを行うことが出来ない。さらに、ユーザは画質ではなくダウンロードの制限時間を指定（通知）するため、ダウンロードされるコンテンツの画質は視聴時まで分からない。そのため、画質が十分でない場合、別の制限時間で再度コンテンツのダウンロードを行う必要が生じる。しかしながら、放送波によるコンテンツのダウンロード配信の場合、１つのコンテンツの配信時間が短いことが予想されるため、そのようなダウンロードは一般的に困難である。
【００１２】
【特許文献１】特開２００１−２６８５０３号公報
【特許文献２】特開２００６−１５５１７８号公報
【発明の開示】
【発明が解決しようとする課題】
【００１３】
本発明は、放送波によるコンテンツのダウンロード配信において、既に予約されているコンテンツの予約時間と重複せず、且つ、ユーザの期待する画質以上のコンテンツを新規に予約するための技術を提供することを目的とする。
【課題を解決するための手段】
【００１４】
本発明のデジタル放送受信装置は、
放送波によりダウンロード形式で送出されるコンテンツをダウンロードするデジタル放送受信装置であって、
コンテンツの送出スケジュールを表すスケジュール情報を取得するスケジュール情報取得手段と、
ユーザが許容できるコンテンツの画質である許容画質に関する情報を含むユーザ設定を設定するユーザ設定手段と、
ユーザの操作に従ってコンテンツのダウンロードの予約を行う予約手段と、
新規に予約された第１コンテンツの予約時間と、既に予約されている第２コンテンツの予約時間とが互いに重複するか否かを判定する判定手段と、
前記第１コンテンツの予約時間と第２コンテンツの予約時間とが互いに重複する場合に、前記スケジュール情報を用いて、代替蓄積コンテンツとして、前記第１コンテンツと同一内容、前記許容画質以上の画質、且つ、予約時間が前記第２コンテンツの予約時間と重複しないコンテンツを決定する決定手段と、
を有し、
前記決定手段において代替蓄積コンテンツが決定された場合、前記予約手段は、第１コンテンツの代わりに当該代替蓄積コンテンツのダウンロードの予約を行う
ことを特徴とする。
【００１５】
本発明のデジタル放送受信方法は、
放送波によりダウンロード形式で送出されるコンテンツをダウンロードするデジタル放送受信方法であって、
コンテンツの送出スケジュールを表すスケジュール情報を取得するステップと、
ユーザが許容できるコンテンツの画質である許容画質に関する情報を含むユーザ設定を設定するステップと、
ユーザの操作に従ってコンテンツのダウンロードの予約を行うステップと、
新規に予約された第１コンテンツの予約時間と、既に予約されている第２コンテンツの予約時間とが互いに重複するか否かを判定するステップと、
前記第１コンテンツの予約時間と第２コンテンツの予約時間とが互いに重複する場合に、前記スケジュール情報を用いて、代替蓄積コンテンツとして、前記第１コンテンツと同一内容、前記許容画質以上の画質、且つ、予約時間が前記第２コンテンツの予約時間と重複しないコンテンツを決定するステップと、
を含み、
前記代替蓄積コンテンツが決定された場合、第１コンテンツの代わりに当該代替蓄積コンテンツのダウンロードの予約を行う
ことを特徴とする。
【発明の効果】
【００１６】
本発明によれば、放送波によるコンテンツのダウンロード配信において、既に予約されているコンテンツの予約時間と重複せず、且つ、ユーザの期待する画質以上のコンテンツを新規に予約することが可能となる。
【発明を実施するための最良の形態】
【００１７】
本実施形態に係るデジタル放送受信装置は、コンテンツを表すデジタル放送信号を受信し、表示装置に表示するデジタル放送受信装置に関する。特に、放送波によりダウンロード形式で送出されるコンテンツをダウンロードするデジタル放送受信装置に関する。また、本実施形態に係るデジタル放送受信装置は、コンテンツのダウンロードを予約することができる。そして、新規に予約された第１コンテンツの予約時間と既に予約されている第２コンテンツの予約時間とが互いに重複する場合に、第１コンテンツの代わりに代替蓄積コンテンツのダウンロードの予約を行う。
【００１８】
以下、本実施形態に係るデジタル放送受信装置の具体的な実施例について図面を用いて説明する。なお、以下の実施例で扱う信号や情報等は、特定的な記載が無い限り、それに限定するものではない。
【００１９】
＜実施例１＞
まず、前提として、本実施例では、コンテンツの配信側（放送事業者）が、通常放送で放送したコンテンツ（番組）を、異なる配信時間に送出（ダウンロード配信）するものとする。具体的には、本実施例では、用意する画質（解像度）として、固定受信機用、移動受信機用、携帯受信機用の３パターンを想定する。そして、画質及びダウンロードに要する時間（ダウンロード時間）が互いに異なるそれらのコンテンツが、それぞれ、異なる配信時間に送出されるものとする。
【００２０】
本実施例におけるコンテンツの配信方法の一例を、図１を用いて説明する。図１の例では、通常放送のチャンネルで、１９：００から番組Ａ（３０分）、番組Ｂ（３０分）、番組Ｃ（６０分）、番組Ｄ（３０分）、番組Ｅ（３０分）が順に放送される。そして、固定受信機用のダウンロード配信チャンネル、移動受信機用のダウンロード配信チャンネル、
携帯受信機用のダウンロード配信チャンネルでは、番組Ａがダウンロード配信される。本実施例におけるコンテンツの配信方法において重要な点は、同一内容の複数のコンテンツであって、画質及びダウンロード時間が互いに異なる複数のコンテンツが、互いに異なる配信時間に送出される点である。図１の例では、通常放送のチャンネルで１９：００から３０分間放送された番組Ａが、固定受信機用のダウンロードチャンネルでは１９時４５分から２０分間配信される。移動受信機用のダウンロードチャンネルでは２０時１５分から１５分間、移動受信機用のダウンロードチャンネルでは２１時２０分から１０分間配信される。
【００２１】
（構成）
図２は実施例１に係るデジタル放送受信装置の機能構成を示すブロック図である。以下に、実施例１に係るデジタル放送受信装置の各機能について説明する。
【００２２】
図２において、１０１は、デジタル放送信号を受信する放送受信部（チューナー）である。デジタル放送信号は、通常放送のコンテンツやダウンロード配信のコンテンツを表す信号である。本実施例では、デジタル放送信号は、映像や音声などの情報が多重化されているものとする。
【００２３】
１０２は、放送受信部１０１が受信した、多重化されたデジタル放送信号を種々の情報に分離するデマルチプレックス部である。
【００２４】
１０３は、デジタル放送信号をデマルチプレックス部１０２で分離することにより得られる情報のうち、映像や音声を表す情報（映像信号及び音声信号）を復号するＡＶ複号処理部である。
【００２５】
１０４は、ＡＶ復号処理部１０３で復号された映像信号及び音声信号を出力するＡＶ出力処理部である。
【００２６】
１０５は、デジタル放送信号をデマルチプレックス部１０２で分離することにより得られる情報のうち、蓄積用の情報（蓄積コンテンツ）を作成するために必要な情報を受け取り、当該情報を用いて蓄積コンテンツを作成する蓄積情報処理部である。蓄積情報処理部１０５は、当該蓄積コンテンツをコンテンツ蓄積部１０６に出力する。
【００２７】
１０６は、蓄積情報処理部１０５が出力する蓄積コンテンツを蓄積するコンテンツ蓄積部である。コンテンツ蓄積部１０６としては、ハードディスクや不揮発性メモリなどの種々の記憶媒体を適用すればよい。
【００２８】
１０７は、コンテンツ蓄積部１０６に蓄積されている蓄積コンテンツを再生する再生処理部である。具体的には、再生処理部１０７は、ユーザによる蓄積コンテンツの再生指示を不図示のリモコン等の操作部（ユーザインタフェース）から受け取る。そして、再生処理部１０７は、コンテンツ蓄積部１０６から所望のコンテンツを読み出し、再生する。
【００２９】
１０８は、デジタル放送信号をデマルチプレックス部１０２で分離することにより得られる情報のうち、コンテンツ情報であるＳＩ（Ｓｅｒｖｉｃｅ  Ｉｎｆｏｒｍａｔｉｏｎ）を取得するＳＩ情報取得部である。ＳＩは、コンテンツの放送スケジュール（今後どのようなコンテンツが放送されるのか）を表す情報である。例えば、コンテンツの大まかな内容（タイトルなど）や、放送開始時刻、放送終了時刻などを含む情報である。本実施例では、ＳＩは、通常放送のデジタル放送信号に含まれているものとする。
【００３０】
１０９は、デジタル放送信号をデマルチプレックス部１０２で分離することにより得ら
れる情報のうち、スケジュール情報を取得するスケジュール情報取得部である。スケジュール情報は、コンテンツの送出スケジュール（今後どのようなコンテンツがダウンロード形式で送出（配信）されるのか）を表す情報である。例えば、ダウンロード配信されるコンテンツの大まかな内容や、配信開始時間、配信終了時間などを含む情報である。本実施例では、スケジュール情報は、通常放送のデジタル放送信号にＳＤＴＴという形式で含まれているものとする。
【００３１】
上述したＳＩやスケジュール情報を用いることにより、電子番組表（ＥＰＧ）を作成することができる。
【００３２】
１１０は、ユーザの操作に従ってコンテンツのダウンロードや録画などの予約を行う予約設定部である（以後、“予約”とはコンテンツのダウンロードや録画などの予約を意味するものとする）。当該操作は、例えば、ユーザが、上記作成されたＥＰＧを確認しながら、不図示のリモコン等のユーザインタフェースを用いることにより行われる。
【００３３】
１１１は、予約やユーザ設定等の情報を蓄積する予約・設定蓄積部である。予約に関する情報は、予約設定部１１０から取得され、ユーザ設定に関する情報は、ユーザ設定部１１２から取得される。
【００３４】
１１２は、ユーザ設定を設定するユーザ設定部である。ユーザ設定には、ダウンロードするコンテンツの画質レベル（ユーザが許容できるコンテンツの画質；許容画質）に関する情報等が含まれる。ユーザ設定は、例えば、ユーザが不図示のリモコン等の操作部を用いることにより入力される。
【００３５】
１１３は、代替蓄積コンテンツを検索し、決定する代替蓄積判定部である。代替蓄積コンテンツとは、第１コンテンツの予約時間と第２コンテンツの予約時間とが互いに重複する場合に、第１コンテンツの代わりとなるコンテンツのことである。代替蓄積判定部１１３には、予約設定部１１０から、新規の予約に関する情報（新規予約情報）が送られ、予約・設定蓄積部１１１から、既に設定されている予約に関する情報（過去予約情報）が送られる。代替蓄積判定部１１３は、上記２つの情報を用いて、第１コンテンツの予約時間と第２コンテンツの予約時間とが互いに重複するか否かを判定する。第１コンテンツの予約時間と第２コンテンツの予約時間とが互いに重複する場合には、スケジュール情報取得部１０９が取得するスケジュール情報を用いて、代替蓄積コンテンツを検索し、決定する。具体的には、代替蓄積コンテンツとして、第１コンテンツと同一内容、許容画質以上の画質、且つ、予約時間が第２コンテンツの予約時間と重複しないコンテンツを検索し、検索結果の中から任意のコンテンツを決定する。代替蓄積コンテンツが決定された場合、予約設定部１１０が、第１コンテンツの代わりに当該代替蓄積コンテンツのダウンロードの予約を行う。
【００３６】
本実施例では、上述したように、同一内容の複数のコンテンツであって、画質及びダウンロード時間が互いに異なる複数のコンテンツが、互いに異なる配信時間に送出されるものとする。即ち、第１コンテンツと同一内容の複数のコンテンツであって、画質及びダウンロード時間が互いに異なる複数のコンテンツが、互いに異なる配信時間に送出される。そこで、本実施例では、それら複数のコンテンツのうち、いずれか１つを代替蓄積コンテンツとする。
【００３７】
また、本実施例では、第１コンテンツと同一内容、許容画質以上の画質、且つ、予約時間が第２コンテンツの予約時間と重複しないコンテンツの内、最高画質のコンテンツを代替蓄積コンテンツとする。それにより、代替蓄積コンテンツをダウンロードしたことによるユーザの満足度の向上が期待できる。
【００３８】
１１４は、予約・設定蓄積部１１１に蓄積されている予約の時刻を管理する予約時刻管理部である。例えば、予約時刻管理部１１４は、予約しているコンテンツの録画やダウンロードの開始時刻になったことを選局管理部１１５に通知する。
【００３９】
１１５は、予約・設定蓄積部１１１に蓄積されている予約の選局（チャンネル）を管理する選局管理部である。例えば、選局管理部１１５は、予約・設定蓄積部１１１に蓄積されている予約の情報、及び、予約時刻管理部１１４からの通知に応じて、放送受信部１０１に受信するチャンネルを切り換えるよう指示する。また、選局管理部１１５は、デマルチプレックス部１０２に当該チャンネルに対応したデマルチプレックス処理を行うよう指示する。
【００４０】
（動作）
次に、本実施例に係るデジタル放送受信装置の動作についてより詳細に説明する。
【００４１】
まず、通常放送のコンテンツを受信し、表示装置に表示するまでの動作について説明する。
【００４２】
通常放送のコンテンツは、放送受信部１０１で受信され、ＭＰＥＧ２ＴＳ形式で（ストリーム管理情報であるＰＳＩとＭＰＥＧ２ＴＳとして）デマルチプレックス部１０２へ出力される。デマルチプレックス部１０２では、入力されたＰＳＩを参照してＭＰＥＧ２ＴＳが、映像信号（映像ＥＳ）、音声信号（音声ＥＳ）、及び、ＳＩに分離される。デマルチプレックス部１０２での処理の詳細は本特許の主眼とするところではないので説明は省略する。デマルチプレックス部１０２で分離された映像ＥＳ及び音声ＥＳは、ＡＶ復号処理部１０３で復号され、ＡＶ出力処理部１０４を介して外部へ出力される。それにより、表示装置に映像が表示され、音声が出力される。
【００４３】
次に、通常放送のコンテンツを蓄積する際の動作について説明する。
【００４４】
通常放送のコンテンツは、放送受信部１０１で受信され、ＭＰＥＧ２ＴＳ形式でデマルチプレックス部１０２へ出力される。デマルチプレックス部１０２では、ＰＳＩを参照してＭＰＥＧ２ＴＳが、映像ＥＳ、音声ＥＳ、及び、ＳＩに分離される。そして、蓄積用の情報を作成するために必要な情報が蓄積情報処理部１０５に出力される。具体的には、蓄積用の情報を作成するために必要な情報として、映像ＥＳ、音声ＥＳ、ＰＳＩ、及び、ＳＩが出力される。蓄積情報処理部１０５では、それらの情報を用いて蓄積コンテンツとしてパーシャルＴＳが作成され、コンテンツ蓄積部１０６に蓄積される。
【００４５】
次に、蓄積された通常放送のコンテンツ（蓄積コンテンツ）を再生する際の動作について説明する。
【００４６】
ユーザが不図示のリモコン等を用いてコンテンツ蓄積部１０６に蓄積された蓄積コンテンツの再生を指示すると、再生処理部１０７がコンテンツ蓄積部１０６から所望のパーシャルＴＳを読み出し、デマルチプレックス部１０２へ出力する。デマルチプレックス部１０２では、入力されたパーシャルＴＳがデマルチプレックス（逆多重化）され、ＡＶ復号処理部１０３に映像ＥＳと音声ＥＳが出力される。出力された映像ＥＳと音声ＥＳは、ＡＶ復号処理部１０３で復号され、ＡＶ出力処理部１０４を介して外部へ出力される。
【００４７】
次に、ダウンロード配信のコンテンツを蓄積する際の動作について説明する。
【００４８】
ダウンロード配信では、コンテンツとして、ＤＳＭ−ＣＣセクションが所定時間（配信
時間）の間に同一のコンテンツを繰り返し伝送するデータカルーセル伝送方式で送出される。送出されたコンテンツは、放送受信部１０１で受信され、デマルチプレックス部１０２へ出力される。デマルチプレックス部１０２では、ＤＳＭ−ＣＣが、映像ＥＳ、音声ＥＳ、及び、スケジュール情報に分離される。そして、それらの情報が蓄積情報処理部１０５に出力される。蓄積情報処理部１０５では、それらの情報を用いて蓄積コンテンツとしてパーシャルＴＳが作成され、コンテンツ蓄積部１０６に蓄積される。
【００４９】
蓄積されたダウンロード配信のコンテンツを再生する際の動作は、蓄積された通常放送のコンテンツを再生する際の動作と同様であるため、その説明は省略する。なお、ダウンロード配信のコンテンツや通常放送のコンテンツに限らず、蓄積されたコンテンツは蓄積コンテンツと呼ぶ。
【００５０】
次に、コンテンツの予約をする際の動作について説明する。
【００５１】
上述したように、通常放送のコンテンツは、放送受信部１０１で受信され、デマルチプレックス部１０２で分離される。その際、当該分離によって得られる情報のうち、ＳＩはＳＩ情報取得部１０８に入力され、スケジュール情報はダウンロードスケジュール情報取得部１０９に入力される。
【００５２】
予約設定部１１０は、不図示のＧＵＩを用いることにより、ＳＩ情報取得部１０８やスケジュール情報取得部１０９に入力された上述の情報を電子番組表（ＥＰＧ）として表示装置に表示することができる。ユーザは、リモコン等を用いて、表示装置の表示を当該ＥＰＧに切り換え、好みのコンテンツを選択（予約指示）する。なお、上記ＧＵＩやＥＰＧの構成は、本発明の主眼ではないため説明を省略する。
【００５３】
ユーザがコンテンツの予約指示を行うことにより、予約設定部１１０に当該コンテンツ（第１コンテンツ）の配信時間、予約時間（ダウンロード開始時間、ダウンロード時間等）などの情報が入力される。予約設定部１１０に入力されたそれらの情報は、新規予約情報として代替蓄積判定部１１３へ送られる。それと同期して過去予約情報（既に予約されているコンテンツ（第２コンテンツ）の放送・配信時間等の情報）が代替蓄積判定部１１３へ送られ、代替蓄積判定部１１３が、第１コンテンツの予約時間と第２コンテンツの予約時間とが互いに重複するか否かを判定する。第１コンテンツの予約時間と第２コンテンツの予約時間とが互いに重複しない場合、新規予約情報は、そのまま予約情報として予約・設定蓄積部１１１に蓄積される。第１コンテンツの予約時間と第２コンテンツの予約時間とが互いに重複する場合、代替蓄積判定部１１３が、今後配信されるコンテンツの中に第１コンテンツの代わりになるコンテンツがあるか否か（代替蓄積コンテンツがあるか否か）を判定する。
【００５４】
代替蓄積判定部１１３は、代替蓄積コンテンツがあるか否かを判定するために、スケジュール情報取得部１０９から（最新の）スケジュール情報を取得する。また、予約・設定蓄積部１１１から、ユーザ設定として許容画質に関する情報（許容画質レベル）を取得する。本実施例では、代替蓄積コンテンツがあるか否かを判定するために、新規予約情報、過去予約情報、スケジュール情報、許容画質レベルなどの情報を用いる。なお、許容画質レベルは、ユーザが不図示のリモコン等を用いてユーザ設定部１１２に入力することにより、予約・設定蓄積部１１１に予め蓄積されていたものとする。ユーザ設定や代替蓄積判定部１１３の動作の詳細については後述する。
【００５５】
代替蓄積コンテンツがあった場合、代替蓄積判定部１１３は、代替蓄積コンテンツの配信時間、予約時間等の情報を予約設定部１１０へ出力する。予約設定部１１０へ入力された代替蓄積コンテンツの配信時間、予約時間等の情報は、予約情報として予約・設定蓄積
部１１１に蓄積される。
【００５６】
予約時刻管理部１１４は、予約・設定蓄積部１１１に蓄積された予約情報を基に、必要な時刻（予約したコンテンツのダウンロードや録画の開始時刻）になったことを選局管理部１１５に通知する。そして、選局管理部１１５は、予約・設定蓄積部１１１に蓄積された予約情報及び予約時刻管理部１１４からの通知に応じて、放送受信部１０１に受信するチャンネルを切り換えるよう指示する。また、選局管理部１１５は、デマルチプレックス部１０２に当該チャンネルに対応したデマルチプレックス処理を行うよう指示する。選局管理部１１５の指示に応じてチャンネルの切り換え等が行われた後、蓄積が開始される。
【００５７】
次に、ユーザ設定と代替蓄積判定部１１３の動作について詳細に説明する。
【００５８】
本実施例では、ユーザ設定（許容画質レベル）は、図３に示す３つの中から選択されるものとする。具体的には、許容画質レベルは、携帯受信機用の許容画質レベル１、移動受信機用の許容画質レベル２、固定受信機用の許容画質レベル３の３つの中から選ばれるものとする。そして、選択された許容画質レベルが予約・設定蓄積部１１１に蓄積される。なお、本実施例では、すべての予約に対し同一のユーザ設定が適用されるものとするが、予約毎（予約されたコンテンツ毎）に許容画質レベルを選択するような構成であってもよい。
【００５９】
以下、第１コンテンツの予約時間と第２コンテンツの予約時間が互いに重複している場合における代替蓄積判定部１１３の動作について図４のフローチャートを用いて説明する。第１コンテンツの予約時間と第２コンテンツの予約時間が互いに重複している場合というのは、例えば、図５に示すような状況である。図５の例では、通常放送のコンテンツである番組Ａと番組Ｃが予約されている状況において、予約時間の一部が番組Ａの予約時間と重複するダウンロード配信のコンテンツである番組Ｂがさらに予約されている。
【００６０】
まず、予約設定部１１０から入力された新規予約情報と、予約・設定蓄積部１１１から入力された過去予約情報とを比較し、第１コンテンツの予約時間と第２コンテンツの予約時間とが互いに重複しているか否か判定する。図４のフローチャートでは、第１コンテンツの予約時間と第２コンテンツの予約時間とが互いに重複していたものとする（ステップＳ１５０）。
【００６１】
次に、新規予約情報を基に、スケジュール情報取得部１０９から入力されたスケジュール情報を用いて、今後配信されるコンテンツの中から第１コンテンツと同一内容のコンテンツを検索する（ステップＳ１５１）。
【００６２】
そして、ステップＳ１５１での検索結果のリストを作成する（ステップＳ１５２）。具体的には、第１コンテンツと同一内容のコンテンツの配信時間、ダウンロード時間、画質などの情報を含むリストを作成する。作成されるリストの例を図６に示す。
【００６３】
次に、代替蓄積コンテンツの候補として、ステップＳ１５１で検出されたコンテンツのうち、最高画質のものを選択する（ステップＳ１５３）。
【００６４】
そして、選択されたコンテンツのダウンロード開始・終了時刻（予約時間）を設定し（ステップＳ１５４）、選択されたコンテンツの予約時間と第２コンテンツの予約時間とが互いに重複するか否かを確認する（ステップＳ１５５）。選択されたコンテンツの予約時間は、当該コンテンツの配信時間中でランダムに定められた時間であってもよいし、予め定められた基準に従って予約時間が設定されてもよい。例えば、選択されたコンテンツの配信開始時刻をダウンロード開始時刻として予約時間が設定されてもよい。また、スケジ
ュール情報から、選択されたコンテンツの配信時間に関する情報を取得してもよい。そして、当該配信時間と第２コンテンツの予約時間とが互いに重複するか否かを判定し、当該判定結果をステップＳ１５５の判定結果としてもよい。
【００６５】
選択されたコンテンツの予約時間と第２コンテンツの予約時間とが互いに重複する場合（ステップＳ１５５：ＹＥＳ）、ステップＳ１５２で作成したリスト中の全コンテンツが代替蓄積コンテンツの候補として選択されたか否かを判定する（ステップＳ１５６）。
【００６６】
ステップＳ１５２で作成したリスト中に代替蓄積コンテンツの候補として選択されていないコンテンツがある場合（ステップＳ１５６：ＮＯ）、ステップＳ１５３へ進む。但し、ステップＳ１５３では、当該選択されていないコンテンツのうち最高画質のコンテンツを、代替蓄積コンテンツの候補として選択する。ステップＳ１５２で作成したリスト中の全コンテンツについて、予約時間が第２コンテンツの予約時間と重複する場合（ステップＳ１５６：ＹＥＳ）、ユーザに新規の予約が実行できない旨の表示を行う（ステップＳ１５７）。そして、新規の予約を中止する（ステップＳ１６５）。
【００６７】
ステップＳ１５５において、選択されたコンテンツの予約時間と第２コンテンツの予約時間とが互いに重複しない場合、予約・設定蓄積部１１１から許容画質レベル（許容画質に関する情報）を取得し（ステップＳ１５８）、ステップＳ１５９へ進む。
【００６８】
ステップＳ１５９では、代替蓄積コンテンツの候補として選択されているコンテンツの画質と、許容画質を比較する。代替蓄積コンテンツの候補として選択されているコンテンツの画質が、許容画質以上の場合（ステップＳ１６０：ＹＥＳ）、当該コンテンツを代替蓄積コンテンツとする（ステップＳ１６１）。そして、代替蓄積コンテンツの配信時間、予約時間（ダウンロード開始時間、ダウンロード時間等）などの情報が、予約設定部１１０へ送られ、予約・設定蓄積部１１１に蓄積される（ステップＳ１６４）。
【００６９】
代替蓄積コンテンツの候補として選択されているコンテンツの画質が、許容画質未満の場合（ステップＳ１６０：ＮＯ）、ユーザにその画質で蓄積を行うかどうかの確認を行う（ステップＳ１６２）。ユーザがそのような画質で蓄積すると判断し、指示した場合（ステップＳ１６３：ＹＥＳ）、ステップＳ１６１へ進む。ユーザがそのような画質ならば蓄積しないと判断し、指示した場合（ステップＳ１６３：ＮＯ）、ステップＳ１６５へ進む。
【００７０】
＜実施例２＞
次に、本発明の実施例２に係るデジタル放送受信装置について、図面を用いて説明する。本実施例では、ダウンロード配信のコンテンツが、所定時間（配信時間）の間に同一のコンテンツを繰り返し伝送するデータカルーセル伝送方式で送出されるものとする。即ち、本実施例では、第１コンテンツは、第１コンテンツの配信時間の間、データカルーセル伝送方式で繰り返し送出される。データカルーセル伝送方式では、繰り返し送出されている１コンテンツ分（１カルーセル分）の情報が取得できれば、蓄積コンテンツを作成することができる。そのため、ダウンロードの開始から終了までの時間（コンテンツの予約時間）は、配信時間内において１カルーセル分取得できる時間であればいつでもよい。そこで、本実施例では、第１コンテンツの予約時間と第２コンテンツの予約時間とが互いに重複する場合に、当該第１コンテンツの予約時間を第１コンテンツの配信時間の中で第２コンテンツの予約時間と重複しないようにする。それにより、ユーザが予約したコンテンツの予約時間と近い時間に、当該コンテンツと同一のコンテンツをダウンロードすることができる。
【００７１】
また、本実施例では、所定時間の間に、同一内容且つ画質が互いに異なる複数のコンテ
ンツがデータカルーセル伝送方式で繰り返し送出されるものとする。即ち、第１コンテンツの配信時間の間に、第１コンテンツと同一内容で且つ第１コンテンツよりも画質の低い第３コンテンツもデータカルーセル方式で繰り返し送出されるものとする。例えば、図７に示すように、所定時間の間に、画質が互いに異なる３つのコンテンツ（ＴＳ１〜ＴＳ３）がデータカルーセル伝送方式で繰り返し送出されるものとする。図７において、ＴＳ１は高画質のコンテンツ、ＴＳ２は中画質のコンテンツ、ＴＳ３は低画質のコンテンツを表す。コンテンツの画質は、一般に、コンテンツの総データサイズに対応する。したがって、それら３つのコンテンツのダウンロード時間は互いに異なるものとなり、繰返し送出回数が互いに異なるものとなる。図７の例では、配信時間とＴＳ１のダウンロード時間が等しいため、ＴＳ１は１回だけ送出される。また、ＴＳ２、ＴＳ３のダウンロード時間は、それぞれ、配信時間の１／２、１／４であるため、ＴＳ２は２回、ＴＳ３は４回繰り返し送出される。
【００７２】
なお、それらのコンテンツは１つのチャンネルからのデジタル放送信号に含まれていてもよいし、コンテンツ毎に送出されるチャンネルが異なっていてもよい。
【００７３】
ダウンロード配信のコンテンツが上述のように送出（配信）されることを前提とすれば、画質を変更することでコンテンツのダウンロードの開始から終了までの時間（コンテンツの予約時間）の選択の幅を広げることができる。
【００７４】
具体的には、図８に示すように、高画質のコンテンツをダウンロードする場合、高画質のコンテンツ（ＴＳ１）の繰返し送出回数は１回であるため、ダウンロードはＳ２４０（配信開始時刻）のタイミングで開始しなければならない。また、当該ダウンロードはＳ２４１の期間（配信開始から配信終了までの期間）継続しなければならない。
【００７５】
一方、中画質のコンテンツをダウンロードする場合、中画質のコンテンツ（ＴＳ２）の繰返し送出回数は２回であり、ダウンロード時間はＳ２４１の期間の１／２であるため、ダウンロード開始時刻の選択に幅を持たせることができる。具体的には、Ｓ２４３で示すように、Ｓ２４２の期間内にダウンロードを開始すればよい（１カルーセル分のデータを受信すればよいため）。低画質のコンテンツをダウンロードする場合には、ダウンロード開始時刻の選択の幅はさらに広がる（Ｓ２４５で示すように、Ｓ２４４の期間内にダウンロードを開始すればよい。）。
【００７６】
このように、本実施例の前提を適応すれば、画質を変更することでコンテンツのダウンロードの開始から終了までの時間（コンテンツの予約時間）の選択の幅を広げることができる。
【００７７】
そこで、本実施例では、第１コンテンツの予約時間を第１コンテンツの配信時間の中で第２コンテンツの予約時間と重複しないように変更できない場合に、第３コンテンツの中から代替蓄積コンテンツを決定する。それにより、代替蓄積コンテンツの予約時間を第１コンテンツの予約時間と比較的近い時間とすることができるため、ユーザの意図と近い時間に第１コンテンツと同一内容のコンテンツをダウンロードすることができる。
【００７８】
（構成）
図９は実施例２に係るデジタル放送受信装置の機能構成を示すブロック図である。なお、図９において実施例１で述べた機能と同一の機能については同一の符号を付し、その説明を省略する。
【００７９】
図９において、２０１は、画質や予約時間を変更することにより代替蓄積コンテンツを検索し、決定するダウンロード情報設定部である。具体的には、ダウンロード情報設定部
２０１は、予約設定部１１０から入力される新規予約情報とユーザ設定部１１２から入力される過去予約情報を用いて第１コンテンツの予約時間と第２コンテンツの予約時間とが互いに重なるか否かを判定する。第１コンテンツの予約時間と第２コンテンツの予約時間とが互いに重複する場合には、スケジュール情報取得部１０９が取得するスケジュール情報を用いて画質や予約時間を変更することにより、代替蓄積コンテンツを検索し、決定する。
【００８０】
（動作）
ダウンロード情報設定部２０１以外の動作はすべて実施例１で述べた動作と同様である。以下に、コンテンツのダウンロードを予約する際の動作のうちダウンロード情報設定部２０１に関わる動作について、図１０のフローチャートを用いて詳細に説明する。
【００８１】
まず、予約設定部１１０から入力された新規予約情報と、予約・設定蓄積部１１１から入力された過去予約情報とを比較し、第１コンテンツの予約時間と第２コンテンツの予約時間とが互いに重複しているか否か判定する。図１０のフローチャートでは、第１コンテンツの予約時間と第２コンテンツの予約時間とが互いに重複していたものとする（ステップＳ２５０）。
【００８２】
次に、新規予約情報と、スケジュール情報取得部１０９から入力されたスケジュール情報とに基づいて、リストを作成する（ステップＳ２５１）。具体的には、第１コンテンツの変更可能な画質と、それぞれのダウンロードに関する情報（ダウンロード開始可能時刻、ダウンロード時間、繰返し送出回数など）のリストを作成する。第１コンテンツの変更可能な画質とは、例えば、第１コンテンツの画質（即ち、新規に予約されたコンテンツの画質）及び第３コンテンツの画質のことである。作成されるリストの例を図１１に示す。
【００８３】
そして、代替蓄積コンテンツの候補として、第１コンテンツの変更可能な画質のうち、最高画質のコンテンツ（即ち、第１コンテンツ）を選択する（ステップＳ２５２）。
【００８４】
次に、選択されたコンテンツのダウンロード開始・終了時刻（予約時間）を設定し（ステップＳ２５３）、選択されたコンテンツの予約時間と第２コンテンツの予約時間とが互いに重複するか否かを確認する（ステップＳ２５４）。
【００８５】
選択されたコンテンツの予約時間と第２コンテンツの予約時間とが互いに重複する場合（ステップＳ２５４：ＹＥＳ）、選択されたコンテンツの予約時間をその配信時間の中で変更しても、それらが互いに重複してしまうのか否かを確認する（ステップＳ２５５）。
【００８６】
選択されたコンテンツの予約時間をその配信時間の中で第２コンテンツの予約時間と重複しないように変更できない場合（ステップＳ２５５：ＹＥＳ）、ステップＳ２５６へ進む。ステップＳ２５６では、ステップＳ２５１で作成したリスト中の全コンテンツが代替蓄積コンテンツの候補として選択されたか否かを判定する。
【００８７】
ステップＳ２５１で作成したリスト中に代替蓄積コンテンツの候補として選択されていないコンテンツがある場合（ステップＳ２５６：ＮＯ）、ステップＳ２５２へ進む。但し、ステップＳ２５２では、当該選択されていないコンテンツのうち最高画質のコンテンツを、代替蓄積コンテンツの候補として選択する。ステップＳ２５１で作成したリスト中の全コンテンツについて、予約時間が第２のコンテンツの予約時間と重複する場合（ステップＳ２５６：ＹＥＳ）、ユーザに新規の予約が実行できない旨の表示を行う（ステップＳ２５７）。そして、新規の予約を中止する（ステップＳ２６５）。
【００８８】
ステップＳ２５４またはステップＳ２５５において、選択されたコンテンツの予約時間
と第２コンテンツの予約時間とが互いに重複しない場合（ステップＳ２５４：ＮＯ、ステップＳ２５５：ＮＯ）、ステップＳ２５８へ進む。ステップＳ２５８では、予約・設定蓄積部１１１から許容画質レベルを取得する。
【００８９】
（ステップＳ２５８の）次に、代替蓄積コンテンツの候補として選択されているコンテンツの画質と、許容画質を比較する（ステップＳ２５９）。代替蓄積コンテンツの候補として選択されているコンテンツの画質が、許容画質以上の場合（ステップＳ２６０：ＹＥＳ）、当該コンテンツを代替蓄積コンテンツとする（ステップＳ２６１）。そして、代替蓄積コンテンツの配信時間、予約時間（ダウンロード開始時間、ダウンロード時間等）などの情報が、予約設定部１１０へ送られ、予約・設定蓄積部１１１に蓄積される（ステップＳ２６４）
【００９０】
代替蓄積コンテンツの候補として選択されているコンテンツの画質が、許容画質未満の場合（ステップＳ２６０：ＮＯ）、ユーザにその画質で蓄積を行うかどうかの確認を行う（ステップＳ２６２）。ユーザがそのような画質で蓄積すると判断し、指示した場合（ステップＳ２６３：ＹＥＳ）、ステップＳ２６１へ進む。ユーザがそのような画質ならば蓄積しないと判断し、指示した場合（ステップＳ２６３：ＮＯ）、ステップＳ２６５へ進む。
【００９１】
以上述べたように、本実施形態に係るデジタル放送受信装置によれば、放送波によるコンテンツのダウンロード配信において、第１コンテンツの予約時間と第２コンテンツの予約時間とが互いに重複した場合に、図４や図１０に示すような処理が行われる。具体的には、そのような場合に、画質や予約時間などを考慮した代替蓄積コンテンツを予約することができる。即ち、既に予約されているコンテンツの予約時間と重複せず、且つ、ユーザの期待する画質以上のコンテンツを新規に予約することが可能となる。
【００９２】
なお、上記実施例１，２では、第１コンテンツと同一内容、且つ、予約時間が第２コンテンツの予約時間と重複しないコンテンツの画質が、許容画質未満である場合に、ユーザに対し当該コンテンツのダウンロードの予約をするか否かを確認する構成とした。即ち、そのような場合に、当該コンテンツを代替蓄積コンテンツとするか否かを確認する構成とした。それにより、許容画質未満の画質のコンテンツであってもユーザの意図に応じて予約・蓄積することが可能となる。
【図面の簡単な説明】
【００９３】
【図１】図１は、実施例１におけるコンテンツの配信方法の一例を示す図である。
【図２】図２は、実施例１に係るデジタル放送受信装置の機能構成を示すブロック図である。
【図３】図３は、許容画質の一例を示す図である。
【図４】図４は、実施例１における代替蓄積判定部の動作の一例を示すフローチャートである。
【図５】図５は、新規の予約が他の予約と時間的に重複している状況の一例を示す図である。
【図６】図６は、図４のステップＳ１５２で作成されるリストの一例を示す図である。
【図７】図７は、実施例２におけるコンテンツの配信方法の一例を示す図である。
【図８】図８は、実施例２におけるコンテンツの配信方法の一例を示す図である。
【図９】図９は、実施例２に係るデジタル放送受信装置の機能構成を示すブロック図である。
【図１０】図１０は、実施例２における代替蓄積判定部の動作の一例を示すフローチャートである。
【図１１】図１１は、図１０のステップＳ２５１で作成されるリストの一例を示す図である。
【符号の説明】
【００９４】
１０１  放送受信部
１０２  デマルチプレックス部
１０３  ＡＶ復号処理部
１０４  ＡＶ出力処理部
１０５  蓄積情報処理部
１０６  コンテンツ蓄積部
１０７  再生処理部
１０８  ＳＩ情報取得部
１０９  スケジュール情報取得部
１１０  予約設定部
１１１  予約・設定蓄積部
１１２  ユーザ設定部
１１３  代替蓄積判定部
１１４  予約時刻管理部
１１５  選局管理部
２０１  ダウンロード情報設定部
【図１】
2010041646.tif 000003
【図２】
2010041646.tif 000004
【図３】
2010041646.tif 000005
【図４】
2010041646.tif 000006
【図５】
2010041646.tif 000007
【図６】
2010041646.tif 000008
【図７】
2010041646.tif 000009
【図８】
2010041646.tif 000010
【図９】
2010041646.tif 000011
【図１０】
2010041646.tif 000012
【図１１】
2010041646.tif 000013